(57)【要約】【目的】  ロールペーパーを引き出し切断後、次のペーパーを片手で簡単に切断部分を掴む事が出来る事を目的とした。【課題】  従来のトイレットペーパーホルダーはペーパー切断後、切り口がペーパーロール体にぴったりとくっ付いた場合は引き剥がすのが大人も子供も大変困難であり、特にサービスエリアで女性トイレが混雑している時に時間がかかって仕方が無い。また、食品包装用のラップフィルムの場合はもっと困難を要する。【解決手段】  そこで、ペーパー、またラップフィルムを切断するには滑動面中央部の窪みをつまむ事で容易に引き出し切断する事ができるようにした。【選択図】図１
2014124523.tif 000002
【特許請求の範囲】
【請求項１】
上面が開放された箱状のケースと、底面奥部はロール巻き径より大径の底面円弧部と、ケース前端にはペーパー渦動用円弧面を形成し、渦動用円弧面の中央部には窪みを形成し、滑動用円弧面の下端全幅に鋸歯状の切刃を設け、ケース奥端に枢着された重し蓋とから成るロールペーパーホルダー。
【請求項２】
重し蓋の裏面はロール巻径の円弧面に形成された請求項１記載のロールペーパーホルダー。
【発明の詳細な説明】
【技術分野】
【０００１】    本発明は、トイレットペーパーやキッチンペーパー等のロール状の衛生紙類を、所定位置に保持し、繰り出しや切断を片手にて行う事ができるロールペーパーホルダーに関する物である。
【背景技術】
【０００２】    ロール状に巻かれたペーパー等の為の、例えば市販のトイレットペーパーホルダーは、壁面に取り付けるベースと、その両側から前方に突き出た一対の側板と、側板の間に設けるトイレットペーパーを回転可能に支える支持軸と、ベースの上端のカバー支軸に取り付けたカバー板とから構成されている。（例えば、特許文献  １、２、３、参照）【０００３】  ところで従来のトイレットペーパーのホルダーでは、巻き取りロール体を回転させてトイレットペーパーを必要長さ前方に繰り出した後、片手でトイレットペーパーをつかみ、もう一方の手をカバー板に添えてトイレットペーパーのロールが回転しないように下方に押し付けながらペーパーをつかんでいる手を上方に引き上げ、同カバー板の前端縁部にペーパーを当てカットしていた。【０００４】  しかしながら、両手が自由に使えない場合とか、各種の疾患や障害により片手の運動機能に障害がある方（以下ハンディキャップのある人をいう）が、両手を使わなければカバーの先端部でペーパーを切断できない従来のトイレットペーパーのホルダーでは大変不便であった。又、電車や飛行機など乗り物の中のトイレでは、揺れている車内等では身体を支えるために片方の手を使うため、ペーパーの切断に両手を使う事ができない等、健常者であっても両手を自由に使えない場合に大変不便であった。【０００５】  また、公衆トイレなど大勢の人が使用するトイレでは、衛生上、カバー等に手を触れずにトイレットペーパーを切断し、使用できるのが望ましい。【０００６】  さらに、従来のトイレットペーパーのホルダーでは、ペーパー切断後、ペーパー先端部分がカバーの裏側に隠れてしまうと、次に使うときにペーパーの先端を取り出すのに手間がかかった。また、ペーパーの先端がぴったりとロール体にくっついてしまった場合には、手先が器用な人でも引き剥がすのが難しいため、小さい子供や、手が不自由な人には大変困難な作業であった。【０００７】  以上のことから、カバー板に水平方向に三角の切り込みを入れた物が知られている（例えば特許文献１参照）。
またホルダー本体の前部に、ペーパー支持部を設け、その支持部上にペーパー切断用歯部を設けると共に、カバー支持軸にコイルバネをはめ込むようにしたものも知られている（例えば特許文献２参照）。
さらにカバー板の前端縁部に、鋸歯状の切断縁部と指先の納まる凹欠部を設けたものが知られている（例えば特許文献３参照）。
さらにまた、上下動可能なペーパーカッターを設けたものが知られている（例えば特許文献４参照）【０００８】  上記特許文献１に示すように、カバー板に水平方向に三角の切り込みを入れたものでは、ペーパーの繰り出し方向とほぼ直交する方向に切り込みが設けられているため、ペーパーを繰り出しながら切り込みにペーパーを入れるのに困難を伴うものである。このため、ペーパーを切り込みに入れるためには、ペーパーロールの回転を止めてからペーパーをホルダーの横に繰出して、切り込みに挿入する必要があるが、切り込みにペーパーを容易に挿入できなかった。【０００９】  特にペーパーをカットするときに該ペーパーを挿入するときと反対の方向に引っ張らなければならないため、ペーパーをホルダーの左右に大きく振るように動かすこととなり、そのためには腕をホルダーの正面で左右に大きく動かす必要があり、特に体の不自由な人には左右に大きく腕を動かす動作は難しく、またそのスペースを確保する必要もあった。さらに、例えば便座の左右のどちらかの壁にホルダーが設置されている場合には、ホルダーの切り込みにペーパーを挿入するときあるいは切断するときに便座から遠くの方に手を伸ばさなければならないため、ペーパーを切断するのが難しかった。【００１０】  また、特許文献１、３、４で説明したいずれのホルダーも、特にペーパーをカットするときペーパーを広げた状態で略水平状態にカットするものであって、カバー板は持ち上がり易くなっているので、ロール体が転動し易く、カバー板を指でロールに押し付けないとペーパーを切断しにくいといった問題もあった。そして特許文献２及び４に記載のものは、カバー板と別部材の支持部やペーパーカッターを組み立て配置するので、構造が複雑で、制作コストもかさむという問題点がある。
さらにまた特許文献２〜４のものでは、切断用歯部やカッターがカバー板の前部に設けられているため、トイレ内で転倒した場合とか上半身をかがめて起きようとした場合等に頭等がカバー板に当たり、切断用歯部やカッターで怪我をするおそれがあるといった問題点があった。
【先行技術文献】
【特許文献】
【００１１】
【特許文献１】登録実用新案３０７９５９６号公報
【特許文献２】実開平５−６５２９５号公報
【特許文献３】特開平１１−２０６６１７号公報
【特許文献４】特開平７−１２４０６８号公報
【発明の概要】
【発明が解決しようとする課題】
【００１２】  蓋を持ち上げなくても何時でも簡単にロール式ペーパーの先端が掴みやすい事を目的としている。不特定多数の者が使用する、病院、オフィスビル、パーキングエリア等では特に速く利用でき混雑を軽減する事が出来る事を目的としている。【００１３】  本発明は、このような従来の構造が有していた問題点を解決しようとするものであり、ロールペーパーの端末を片手で簡単につまんで引き出すことができ、片手のままでペーパーの引く方向を変えることにより、ペーパーの切断が行えるものである。
さらに、切断された残りのロールペーパー端末は次の引き出し操作が容易な様に中央部に指案内部が形成されており、片手操作が容易な構造を提供する。
【課題を解決するための手段】
【００１４】  そして本発明は上記課題を解決するために、第１の課題解決手段は、上面が解放された箱状のケースと、底面奥部はロール巻径より大径の底面円弧部と、ケース前端にはペーパー渦動用円弧面を形成し，渦動用円弧面の中央部には窪みを形成し、滑動用円弧面の下端全幅に鋸歯状の切刃を設け、ケース奥端に枢着された重し蓋、とから成るロールペーパーホルダーを提供する。【００１５】  また、第２の課題解決手段は、重し蓋の裏面はロール巻径の円弧面に形成された構成としたものである。本発明はペーパー切断蓋に触れる事無く、片手でロールペーパーのみを簡単につまみ、引き出し切り取る事が出来るペーパーホルダーである。
【発明の効果】
【００１６】  上記第１の課題解決手段による作用は、上面が解放された箱状のケースにより上面からロールペーパーを投入することができ、円弧状の底面にロールが安定的に載置され、ペーパー引き出し時にはケース前端の円弧面にて滑動する。滑動面の中央部にはくぼみみが形成されており、ペーパー中央部をつまむことができ、必要量を引き出した後、奥方向に強く引くことにより鋸歯状の切刃でペーパーを切断することができる。落し蓋の重量により、ロールペーパーが適宜押さえられているので、ロールの位置が安定し、切断も安易になる作用を有する。芯なし、芯付き共用のペーパーホルダーである。ロールペーパーを底面の中心部を下に湾曲したケースに収納保管しその末端からペーパーを必要なだけ引き出して、下部切断部で切り取る。次の使用時そのペーパーを窪み部分でつまんで簡単に引き出せて、連続切り取り使用が出来る事を特徴とする。本発明の窪み部分を利用すれば様々な材質の物であっても、窪みから簡単にペーパーやラップ、ホイル等を引き出せるホルダーができる。【００１７】  また、第２の課題解決手段による作用は、重し蓋の裏面がロール巻径の円弧面に形成したからホルダー全体の外観を良くし、ペーパー引き出しの抵抗力をコンスタントにしてペーパー切断力を安定させる作用を有するものである。ロール状に巻かれたトイレットペーパーやキッチンペーパー、食品包装用ラップフィルム、アルミホイル等様々な材質、用途のものがある。
【図面の簡単な説明】
【００１８】
【図１】本発明のロールペーパーホルダーの斜視図
【図２】同ホルダーのロールペーパー挿入前の斜視図
【図３】同ホルダーの使用直前状態の斜視図
【図４】同ホルダーの縦断面図
【図５】同ホルダーのロールペーパーが小さくなった際の縦断面図
【図６】同ホルダーのペーパー滑動面の正面図（図５におけるＦ方向矢視図）
【図７】蓋の前端、指掛け部分と重り部分
【発明を実施するための形態】
【実施例】
【００１９】  以下、本発明の一実施例を図面に沿って説明する。図１は本発明のロールペーパーホルダーの斜視図である。壁面等に固定されたベース１２の両側に側板１、１が形成され、その間にロールペーパーＰが位置しており、引き出したペーパー先端１０が全面部に垂れ下がっている。ロールペーパーの径がどんなに小さくなっても蓋の部分が従来とは違い、ボックス内に入る。先端に重り７を付ける事により絶えずロールペーパーを巻き付く様に押さえ続けているので、切り取りやすい。ホルダーの後端には蓋３０が枢着されており、開いた状態でロールペーパーＰを落し込んで挿入可能である。
ロールペーパーＰを挿入する前のホルダーの状態を図２に示す。ホルダー前端には滑動用円弧面３があり、ロールから引き出したペーパー１０を下向きに案内している。
滑動用円弧面３の前端下端には切刃４が形成されており、ペーパー先端１０を下向き、かつ、やや奥向きに引くことにより切断することができる。切刃４は単に製品の角部であってもペーパー１０を切断することはできるが、鋸歯状に形成することもできる。
図３は、通常の使用状態を示す本発明ロールペーパーホルダーの斜視図であり、ロールペーパーＰは蓋３０に覆われており、埃などから保護されている。しかも、ロールペーパーの保持と、回転して引き出す時の軸芯を必要とせず、ロールペーパーはボックス内に放り込むだけでよい。【００２０】  図４は本発明ロールペーパーホルダーの縦断面図である。ペーパーＰの直径は平均的に１００ｍｍ程度であるから、底面の半径が約５０ｍｍの円弧状であるのが好都合であり、上部には蓋３０が枢着されており、蓋３０の重みでペーパーＰを押している。
図７は、蓋の上部、手前側を上にそり返し、真ん中の５０ｍｍ位は指を掛けて蓋を開けるときのために指かかりとしてカーブを作り、残りの両端にはペーパーを押さえるための重りを入れる所とする。
底面前端はおよそロール半径前後の高さまでせり上がっており、更に手前側へ下向きに折り返されてペーパー滑動面３を形成している。
滑動面３は幅方向全体にわたり山形を形成しているが、幅方向の中央部には１０ｍｍ前後の幅で窪み５を形成している。この窪み５は、ペーパー１０が滑動面３の上面にあるときは、ペーパー１０のみが山形に形成されるためである。
図５は、同じく縦断面図であるが、ロールペーパーＰが巻き終わりに近くなった状態を示している。蓋３０は重みにより底面近くまで回動している。【００２１】  図６は滑動面３を正面より見た図５におけるＦ矢視図である。滑動面３の中央付近は、１０〜２０ｍｍの範囲で窪み５となす。従って断面で見るとペーパー１０は窪み５に沿わず、両側の滑動面３、３に支えられて、ペーパー１０のみが山形を形成したままである。従って、窪み５付近を指でつまむと、ペーパー１０のみを把持することができ、ロールペーパー１０をロールに沿って所要量を引き出すことができる。【００２２】  滑動面３の下端には切刃６を形成している。この切刃６は鋸歯状のギザギザに形成（市販のラップ類の切断部のように形成）してもよいが、鋸歯状でなくても、例えば直線状であっても切断は可能である。要するに、窪み５付近でつまんだペーパー１０をホルダーの下で奥方向に引くことで切断が達成できる。
切刃６は全幅に亘って設けるのが通常であるが、特に両側部が重要である。また、鋸歯状のように鋭利な方が切れ味が良いが、指先に怪我をする懸念があるので、必要以上に鋭利にすることは避ける。ロールペーパーＰがトイレ用の場合は、所定間隔でミシン目を施したものも市販されており、切刃が無くても切断できるものもあるが、切刃６を形成した方が任意の位置で切断することもでき、好都合である。
強度の高いペーパーやラップ類の様な場合の切断は容易でなく、鋭利な切刃が必要になる場合もある。【００２３】  本発明のロールペーパーホルダーは、家庭やオフィスの台所やトイレに設置するのが好妊適であるため、長期間の使用に耐えるものが要求される。
材料は、例えばＡＢＳ樹脂、ポリカーボネート樹脂、ＦＲＰ樹脂などの合成樹脂が好適に用いられる。製造方法として、射出成形など公知の方法が用いられ得る。
また、金属材料も使用可能である。アルミニウム合金や、亜鉛合金などをダイカスト法などで形成することもできる。
射出形成やダイカスト法では適当にリブなどの補強を用いれば、板厚１〜２ｍｍ程度の設計が可能と成り、堅牢な構造が得られる。
金属板（例えば鋼板）をプレス成形し、溶接などで組み立てる構造も多量生産を安価に行い得る方法である。【００２４】  市販のトイレットペーパーは、直径約１００ｍｍ、長さ約１１５ｍｍの製品が多いので本発明のロールペーパーホルダーはこれを収納できるサイズが好ましいが、これ以上の直径や長さのものもあり、そのようなサイズのロールペーパーを用いる場合は、ホルダーの寸法もこれらのペーパーを収納できる寸法で製作することができる。
また、表面処理や装飾を適宜付加することにより、耐久性ある美麗な製品が得られる。
【産業上の利用可能性】
【００２５】  家庭やオフィスの台所、トイレなどへの利用のほか、ペーパーに代えてプラスチックフィルムや金属箔なども適用でき、各種生産現場や病院などへの利用も可能である。
【符号の説明】
【００２６】Ｐ・・・・ロールペーパー
１  ・・・側板
３  ・・・滑動面
４  ・・・切刃
５  ・・・くぼみ
７  ・・・蓋先端重りと指掛け部分
８  ・・・ネジ止め穴
９  ・・・蓋
１０・・・引き出されたロールペーパー先端
１２・・・ベース
【図１】
2014124523.tif 000003
【図２】
2014124523.tif 000004
【図３】
2014124523.tif 000005
【図４】
2014124523.tif 000006
【図５】
2014124523.tif 000007
【図６】
2014124523.tif 000008
【図７】
2014124523.tif 000009